(57)【要約】【課題】コップをペットボトルに固定できるようにする。【解決手段】コップ１０内側の底面１０ａに、ペットボトルＰの口部３に嵌るキャップ部５を一体に設けるとともに、そのキャップ部５の先端に、前記ペットボトルＰのキャップ２の外周に嵌め込み可能な周壁Ｈを設ける。前記周壁Ｈは、前記ペットボトルＰのスクリューキャップ２の外周の溝部２ａに噛み合う縦溝部４ａを有しオープナ部４を成す。コップ１０を回転させると、周壁Ｈの縦溝部４ａがキャップ２の溝部２ａに噛み合って、そのコップ１０とキャップ２とが一体に回転するので、比較的小さな力で開栓でき、また、飲み終われば、コップ１０を下向きに伏せて、キャップ部５を、ペットボトルＰの口部３にねじ込んで固定すれば、口部３のスクリュー式のねじ部３ａと、キャップ部５のねじ部５ａとが噛み合って水密が維持され、ボトル本体１内の飲み物がこぼれない。【選択図】図３
2006036264.tif 000002
【特許請求の範囲】
【請求項１】
コップ１０の底面１０ａに、ペットボトルＰの口部３に嵌るキャップ部５を一体に設けたことを特徴とするコップ。
【請求項２】
前記コップ１０は、前記ペットボトルＰの外周に嵌め込み可能な周壁Ｈを有することを特徴とする請求項１に記載のコップ。
【請求項３】
前記コップ１０は、前記周壁Ｈを介してペットボトルＰのキャップ２の外周に嵌め込み可能とするとともに、その周壁Ｈは、前記キャップ部５の先端に設けられることを特徴とする請求項２に記載のコップ。
【請求項４】
前記キャップ部５は、前記コップ１０内側に設けられることを特徴とする請求項３に記載のコップ。
【請求項５】
前記周壁Ｈは、前記ペットボトルＰのスクリューキャップ２の外周に形成された溝部、又は突起に噛み合うオープナ部４を成すことを特徴とする請求項２乃至４のいずれかに記載のコップ。
【請求項６】
前記コップ１０に、その外周縁から外側に突出する取手部１１を設けたことを特徴とする請求項１乃至５のいずれかに記載のコップ。
【発明の詳細な説明】
【技術分野】
【０００１】
この発明は、ペットボトルに固定できるコップに関するものである。
【背景技術】
【０００２】
一般的に、ペットボトル等により提供される飲み物は、キャップを開栓した後、その口部に直接口をつけて、いわゆる「ラッパ飲み」の方法により飲まれることが多い。また、一度にすべてを飲み干すことなく、開栓してある程度の量を飲んだ後、再度キャップを閉じて保管、携行する場合も多い。しかし、このように、繰り返し「ラッパ飲み」をすることは衛生上好ましくなく、また、その飲む姿は、他人から見ればいい印象を受けない場合もある。このため、子供連れの家族や女性、あるいはお年寄り等は、外出する際にコップを別途持参して、ペットボトルの飲み物をそのコップに注いで使用している例が見かけられる。
【０００３】
しかし、このコップは、ペットボトルとは別々に保管して携行することとなるため、荷物が増え、また、その取り出しも面倒である。そこで、コップの底に凹部を形成し、その凹部がキャップ外周に嵌まるようにして、コップとペットボトルとを一体に固定、携行できるようにした技術が開示されている。コップとペットボトルとを一体に携行できれば、外出先等において「ラッパ飲み」することを避けることができる（特許文献１参照）。
【０００４】
一方、この種のペットボトル等のスクリュー式キャップを開ける際には、ある程度の握力が必要とされる。特に、力の弱い幼児やお年寄りにとっては、素手による開栓は固くて困難な場合もある。これは、未開栓のキャップは強固に締められているとともに、そのキャップ下端に設けたバンドがペットボトルの口部にかしめられて固定されており、開栓の際には、このバンドを切除しながらキャップを回転させる必要があるからである。また、一度開栓した後、液漏れを防止するためにキャップを口部に強固に締め付けると、固くて開かなくなることもある。そこで、この種のキャップを軽やかに回転するために、各種のオープナの技術が開示されている（特許文献２、特許文献３参照）。
【０００５】
さらに、前述の特許文献１に記載のコップは、前記キャップ外周に嵌る凹部内側に縦溝を形成しており、この縦溝がキャップに噛み合ってオープナとして機能するようになっている。オープナを、コップとともに常にペットボトルと一体に保管、携行できるので、便利である（特許文献１参照）。
【特許文献１】特開２００２−８７４９５号公報
【特許文献２】特開２０００−３０９３９５号公報
【特許文献３】特開２００３−３００５９７号公報
【発明の開示】
【発明が解決しようとする課題】
【０００６】
しかし、上記特許文献１に記載のコップは、キャップを外したペットボトルには固定することができない。コップは、キャップの外周に嵌ることにより、ペットボトルに固定されるようになっているからである。このため、一旦開栓した後にコップを固定する際には、必ず、コップよりも先にキャップを取り付けしなければならず面倒である。また、外したキャップは、失わないように常に保管しておかなければならない。
【０００７】
そこで、この発明は、コップをペットボトルに固定できるようにすることを課題とする。
【課題を解決するための手段】
【０００８】
上記の課題を解決するために、この発明は、コップの底面に、ペットボトルの口部に嵌るキャップ部を一体に設けたのである。このようにすれば、ペットボトルのキャップが無くても、そのペットボトルの口部にキャップ部を嵌めることにより、直接にコップを固定し得る。このとき、コップのキャップ部は、口部を塞ぐキャップの役割をも果たすので液漏れしない。
【０００９】
また、前記コップは、前記ペットボトルの外周に嵌め込み可能な周壁を有するものとすれば、コップを口部以外にも嵌めて固定し得る。例えば、ペットボトルのキャップ外周に嵌る周壁としてもよいし、ペットボトル本体の外周に嵌る周壁としてもよい。このため、コップは、通常は、前記周壁によりペットボトルの外周に固定され、また、キャップを外した際には、前記ねじ部を介してペットボトルの口部に固定されるようになるので、その後のキャップ保管は不要となる。
【００１０】
さらに、そのコップを、前記周壁を介してペットボトルのキャップの外周に嵌め込み可能とするとともに、その周壁は、キャップ部の先端に設ければ、コップはペットボトルに対し常に同じ向きに固定され得るので、コップの脱着方向を間違えることなく使いやすいものとし得る。このとき、前記キャップ部を、前記コップ内側に設ければ、コップは常にうつ伏せにペットボトル上部に固定されるので、コップ一体のペットボトルの高さを低くしてコンパクトにし得るとともに、そのボトル本体の開口に面する前記凹部、及びキャップ部が、飲料が注がれるコップ内側にあるので衛生的である。
【００１１】
この周壁をペットボトルのキャップの外周に嵌め込むようにした構成において、前記ペットボトルのスクリュー式のキャップの外周に形成された溝部、又は突起に噛み合うオープナ部４を成すようにすれば、コップは、ペットボトルに固定された状態においてキャップに噛み合っているので、その状態でコップを軸周りに回転させることによりキャップオープナとしても機能するので便利である。
【００１２】
また、前記コップに、その外周縁から外側に突出する取手部を設ければ、コップをペットボトルに固定した状態において、その取手部は、ペットボトルを掛けるフックとしても機能するので便利である。さらに、そのコップをキャップオープナとして使用する際には、その取手部がコップの外周縁よりも外側へ突出しているので、その取手部を掴んで回せばより小さな力で開栓し得る。
【発明の効果】
【００１３】
この発明は、以上のようにしたので、ペットボトルのキャップの有無にかかわらず、コップを固定できる。
【発明を実施するための最良の形態】
【００１４】
一実施形態を図１乃至図４に示す。この実施形態のコップは、ペットボトルＰに固定されて一体に保管、携行できる、キャップオープナ付きコップ１０である。
【００１５】
その構成は、図４に示すように、下方を閉じ上方開口したコップ１０の内側底面１０ａ上に、環状の立上がり部Ｒが形成されており、その立上がり部Ｒの内側にペットボトルＰの口部３を塞ぐ凹状のキャップ部５が設けられている。キャップ部５は、ペットボトルＰの口部３のスクリュー式のねじ部３ａに対応するねじ部５ａを有し、図３に示すように、ペットボトルＰを構成するボトル本体１の口部３にねじ込み可能となっている。
【００１６】
また、前記立上がり部Ｒの先端内側には、ペットボトルＰのキャップ２外周に嵌め込み可能な環状の周壁Ｈを形成している。この周壁Ｈは、その内径が、ボトル本体１の口部３にねじ込んで取り付けられたキャップ２の外径と同等か、あるいは隙間が生じない程度にやや大きく形成されており、その周壁Ｈがキャップ２の外周に嵌め込まれることにより、図１に示すように、コップ１０は、そのペットボトルＰに一体に固定される。このとき、コップ１０の開口側上縁は、そのペットボトルＰのボトル本体１の肩部１ａにその全周に亘って接するようになっており、コップ１がペットボトルＰに対して動きにくいように安定的に固定されるようになっている。
【００１７】
前記ペットボトルＰのキャップ２の外周には、図１に示すように、その側周面全周に亘って上下方向の溝部２ａが一定間隔で形成されている。前記周壁Ｈには、前記ペットボトルＰのキャップ２の溝部に噛み合う縦溝部４ａがその全周に亘って一定間隔で形成されてオープナ部４を成している。
【００１８】
また、前記コップ１０には、その外周縁から外側に突出する取手部１１が設けられている。その取手部１１は、図１に示すように、コップ１０の底面１０ａの周縁を根元部１１ａとして外側に伸びて上方へ湾曲し、その先端１１ｂは、コップ１０の開口部上縁との間に僅かな隙間ｗを有している。
【００１９】
このコップ１０の使用方法を説明すると、ペットボトルＰのキャップ２を開栓する前の状態において、図１に示すように、コップ１０を下向きに伏せた状態にして、そのペットボトルＰの上部に被せる。立上がり部Ｒ内側の周壁Ｈは、キャップ２の外周に嵌め込まれて固定され、コップ１０の開口側上縁は、そのペットボトルＰのボトル本体１の肩部１ａにその全周に亘って接している。この状態で、取手部１１を前記隙間ｗからベルト等に掛けることにより、ペットボトルＰをコップ１０と一体に身につけて携行できるようになっている。もちろん、ペットボトルＰをコップ１０と一体に鞄等に収納して携行してもよい。
【００２０】
次に、キャップ２を開栓する際には、図１に矢印で示すように、コップ１０を回転させる。このとき、周壁Ｈは、オープナ部４を成しているので、その周壁Ｈに形成された縦溝部４ａが、キャップ２の溝部２ａに噛み合って、そのコップ１０とキャップ２とが一体に回転する。コップ１０の外径は、キャップ２の外径よりも大きいので、比較的小さな力でキャップ２が開栓でき、また、さらに外側に位置する取手部１１を掴んでコップ１０を回転させれば、開栓に要する力がさらに小さくなる。このとき、例えば、ペットボトルＰの種別により、周壁Ｈの内径がキャップ２の外形よりもやや大きくなる場合、あるいは、前記縦溝部４ａと溝部２ａとの噛み合わせが悪い場合には、コップ１０をキャップ２に対してやや傾けることにより、キャップ２がうまくコップ１０とともに回転するようになる。
【００２１】
キャップ２を開栓した後は、図２に示すように、ボトル本体１内の飲み物をコップ１０に適宜の量だけ注いで飲む。飲み終われば、再度コップ１０を下向きに伏せて、前記立上がり部Ｒ内側のキャップ部５を、図３に示すように、ペットボトルＰの口部３にねじ込んで固定する。このとき、口部３のスクリュー式のねじ部３ａと、キャップ部５のねじ部５ａとが噛み合って水密が維持され、ボトル本体１内の飲み物がこぼれないようになっている。この図３に示す状態においても、図１の場合と同様に、取手部１１をベルト等に掛けて携行でき、また、鞄等に収納して携行してもよい。
【００２２】
また、この実施形態では、コップ１０の底面１０ａに設けた同一の立上がり部Ｒ内に、前記オープナ部４の機能を備えた周壁Ｈ、及び前記口部３を塞ぐキャップ部５の二つの機能を設けたため、コップ１０に形成される突起や凹部を最小限に抑えて形状を簡素化し、また、コップ１０自体の外形をコンパクトにしている。さらに、その立上がり部Ｒをコップ１０の内側に設けたので、コップ１０は、すっきりとした外観を呈することができる。
【００２３】
なお、この実施形態では、コップ１０の外側に取手部１１を設けたが、例えば、図５に示すように、必要に応じて取手部１１を省略することもできる。また、この実施形態では、前記キャップ部５と周壁Ｈによるオープナ部４を、双方ともにコップ１０の内側に設けたが、他の形態として、図６あるいは図７に示すように、キャップ部５をコップ１０の内側に、オープナ部４をコップ１０の外側に、あるいはその逆といったように、それぞれコップ１０の内外に別々に設けてもよい。
【００２４】
さらに、この実施形態では、コップ１０が、周壁Ｈを介してペットボトルＰのキャップ２外周に嵌め込まれるようにしたが、この嵌め込みの箇所は、キャップ２には限定されない。例えば、周壁Ｈを底面１０ａに設けることなく、コップ１０の上方開口縁内側に設けて、コップ１０は、その周壁Ｈを介してボトル本体１の肩部１ａにのみ嵌め込まれて固定されるようにしてもよいし、同じく、周壁Ｈをコップ１０の上方開口縁内側に設けて、コップ１０をボトル本体１の底部に嵌め込まれるようにしてもよい。ボトル本体１に部分的に縮径したくびれ部等がある場合には、前記周壁Ｈをそのくびれ部に嵌め込むようにすれば、コップ１０の脱落防止により効果的である。また、コップ１０が、ボトル本体１に嵌め込まれる態様における前記周壁Ｈは、キャップ２の外周に嵌め込まれる周壁Ｈと併用することもできる。
【００２５】
また、コップ１０は、例えば、図８に示すように、伸縮自在とすることもできる。図示するように、底面１０ａに対して、その側壁部１０ｂの立ち上がり高さを伸縮し得るようにすれば、コップ１０は、その高さを縮めた状態において扁平状になるので、そのペットボトルＰにコップ１０を嵌め込んで固定する際に嵩張らないようにでき、また、コップ１０を単独で携行する際にも便利である。なお、その側壁部１０ｂの高さを縮めた状態において、底面１０ａに蓋１０ｃを取り付けているので、前記キャップ部５とオープナ部４を成す周壁Ｈは、その底面１０ａに設けてもよいし、蓋１０ｃに設けてもよいし、それぞれ底面１０ａと蓋１０ｃとに別々に設けてもよい。
【００２６】
なお、オープナ部４の機能は、キャップ部２に上下方向の溝部２ａが形成されている場合にはその溝部２ａに、あるいは突起が形成されている場合にはその突起に噛み合うものであればよく、オープナ部４の縦溝部４ａの態様は限定されない。また、キャップ部５を口部３に固定する手法は、この実施形態のように、口部３のスクリュー式のねじ部３ａにキャップ部５のねじ部５ａをねじ込む態様としてもよいし、嵌め込み式としてもよい。
【図面の簡単な説明】
【００２７】
【図１】ペットボトルキャップへの取付状態を示す一実施形態の断面図
【図２】飲み物を注いだ状態を示す同実施形態の断面図
【図３】ペットボトル口部への取付状態を示す同実施形態の断面図
【図４】同実施形態を示す詳細図で、（ａ）は斜視図、（ｂ）は断面図
【図５】他の実施形態を示し、（ａ）は斜視図、（ｂ）は断面図
【図６】他の実施形態を示し、（ａ）は斜視図、（ｂ）は断面図
【図７】他の実施形態を示し、（ａ）は斜視図、（ｂ）は断面図
【図８】他の実施形態を示し、（ａ）は一部切欠分解図、（ｂ）は（ａ）の収納状態の正面図
【符号の説明】
【００２８】
１  ボトル本体
２  キャップ
２ａ  溝部
３  口部
４  オープナ部
４ａ  縦溝部
５  キャップ部
１０  コップ
１０ａ  底面
１１  取手部
Ｈ  周壁
Ｐ  ペットボトル
【図１】
2006036264.tif 000003
【図２】
2006036264.tif 000004
【図３】
2006036264.tif 000005
【図４】
2006036264.tif 000006
【図５】
2006036264.tif 000007
【図６】
2006036264.tif 000008
【図７】
2006036264.tif 000009
【図８】
2006036264.tif 000010